(57)【特許請求の範囲】
【請求項１】
ディスクを載置する支持部と、該支持部の上下辺に突出させて面板を連設し、該面板は基板と折り部を介して揺動可能な翼部とで構成され、該基板と翼部の中央近傍を、上、下切り込み線により適宜な形状の切り欠き部を形成してなり、前記各基板を支持部上に貼着し、対向して配置された翼部の下側と前記支持部との間に円盤状のディスクを保持した状態で、該ディスクの端部が切り欠き部上に露出すると共に、前記翼部と基板との境界近傍の折り部端部にディスク周縁を係止し、前記保持されるディスクと支持部との間に、不織布が位置し、該不織布が、支持部の全面又は一部に貼着されていて、前記保持されるディスクが、少なくとも記録面側が不織布である袋に収納して収納体に装着されるディスク収納体において、前記翼部に設ける切り込み線が三角形状でなり、該上切り込み線の下側に三角形状に突出した載置片を形成し、前記切り込み線による折り部端面を形成し、前記不織布袋に収納したディスクを該不織布袋の相対する二方の角部を三角形状に形成された載置片に載置できるようにしたことを特徴とするディスク収納体。
【請求項２】
ディスクを載置する支持部と該支持部周辺の内側又は支持部の一部領域に、切り込み線により互いに対向して配置され、折り部によって揺動可能に二つの翼部を設け、該二つの翼部の内端部側には、前記支持部と連続する適宜な形状の載置片を形成してなり、前記支持部上に対向して配置された二つの翼部の下側と、前記載置片上との間に円盤状のディスクを保持した状態で、該ディスクの端部が載置片上に露出すると共に、前記翼部と載置片との境界近傍の折り部端部にディスク周縁を係止し、前記保持されるディスクと支持部との間に、不織布が位置し、該不織布が、支持部の全面又は一部に貼着されていて、前記保持されるディスクが、少なくとも記録面側が不織布である袋に収納して収納体に装着されるディスク収納体において、前記翼部に設ける切り込み線が三角形状でなり、該上切り込み線の下側に三角形状に突出した載置片を形成し、前記切り込み線による折り部端面を形成し、前記不織布袋に収納したディスクを該不織布袋の相対する二方の角部を三角形状に形成された載置片に載置できるようにしたことを特徴とするディスク収納体。
【請求項３】
ディスクを載置する支持部と、該支持部の上下辺に突出させて面板を連設し、該面板は基板と折り部を介して揺動可能な翼部とで構成され、該翼部の内端部側には切り込み線により適宜な形状で、前記基板と連続する載置片を形成してなり、前記各基板を支持部上に貼着し、対向して配置された翼部の下側と前記載置片との間に円盤状のディスクを保持した状態で、該ディスクの端部が載置片上に露出すると共に、前記翼部と載置片との境界近
傍の折り部端部にディスク周縁を係止する収納体であって、前記翼部のいずれか一方の先端に、開封片を有する封止片を設け、前記保持されるディスクと支持部との間に、不織布が位置し、該不織布が、支持部の全面又は一部に貼着されていて、前記保持されるディスクが、少なくとも記録面側が不織布である袋に収納して収納体に装着されるディスク収納体において、前記翼部に設ける切り込み線が三角形状でなり、該上切り込み線の下側に三角形状に突出した載置片を形成し、前記切り込み線による折り部端面を形成し、前記不織布袋に収納したディスクを該不織布袋の相対する二方の角部を三角形状に形成された載置片に載置できるようにしたことを特徴とするディスク収納体。
【請求項４】
前記支持部のいずれか一方の側辺に、綴込片を設けたことを特徴とする請求項１、２又は請求項３のいずれかに記載のディスク収納体。
【請求項５】
前記支持部の両側辺又はいずれか一方の側辺に、１枚以上の表紙を設けたことを特徴とす請求項１、２、３又は請求項４のいずれかに記載のディスク収納体。
【発明の詳細な説明】
【０００１】
【発明の属する技術分野】
本発明は、コンパクトディスク（ＣＤ）や、ＣＤ−ＲＯＭ、ＣＤ−Ｉ、ＤＶＤ等のような記録媒体である円盤状のディスクを装着する紙製のディスク収納体に関するものである。
【０００２】
【従来の技術】
従来よりＣＤやＣＤ−ＲＯＭやＣＤ−Ｉ等のような記録媒体である円盤状のディスクは、輸送や取扱い中に傷等が付易いために、ディスクが収納される本体と、この本体に開閉可能に連結された蓋とからなるプラスチック製の収納ケースが流通過程の中で主流を占めている。このようなプラスチック成形品は、丈夫で外圧等に対して耐久性がある等の優れた物性を有している。
【０００３】
しかしながら、プラスチック成形品は、金型等の作製費用を含め成形コストが高くなる。またコスト以外にも、成形品のために余分なスペースが必要となり、保管は勿論、輸送効率が悪い、廃棄等の場合に環境問題が発生する、大量に取り扱う際に、嵩張って取扱いが面倒である等の問題がある。
また、ＣＤブック等として、本の表紙や本文頁にＣＤ等を添付するような場合に、プラスチックケースでは本が嵩張る他、プラスチックは紙に比べて比重も大きく、そのため本の重量が増し、大量に取り扱う際には、簡単に処理することができない不具合もあった。
さらに、カタログやパンフレットと共にＣＤ等を配付するような場合、ケースはプラスチックであるため、取り付けが難しく、また一体感をだすことができない不具合があった。
【０００４】
これに対して、近年においては記録媒体であるディスクは、紙製の収納ケースや、カタログやパンフレットと共に配付され、或いはＣＤブックとして市場に流通されており、簡易な形態で取り扱われるようになりつつある。
すなわち、紙を主体とした収納ケースの場合、容易で、かつ簡単な加工でＣＤ等の装着、収納できるケースが提案され、実用化もされている。
【０００５】
【発明が解決しようとする課題】
しかしながら、上記に述べた紙製のディスク収納ケースは、図示はしないが、ディスクを装着する部分にスリットや切り欠き部を設けて、ディスク周縁をこのスリットや切り欠き部に挿入し係止する方法が多く採用されているが、挿入したり、引き抜いて取り出す際に、ディスク裏面側の記録保持面を支持部等で傷つける恐れがある等の問題があった。そこでディスクを収納する支持板の周縁の一部に、丘陵状の凸部による載置部を形成し、ディスクの裏面側が支持部全面に接触しないようにした方法が提案されているが、丘陵状の凸部による載置部の加工が金型等の作製費用を含めるとコストがかかり、しかも厚紙を使用しての収納ケースに対しては効果的であるが、パンフレット等の比較的薄い紙に対しては加工することができない等の問題があった。
また、載置部によりディスクは僅かではあるが中空に浮くように装着されるので、かえってディスクの挿入、引き抜きによる取り出しの際に支持部と接触し易く、傷が付きやすいという問題もあった。
【０００６】
そこで本発明は、上記の課題に鑑みなされたもので、その目的とするところは、プラスチックケースのように嵩張ることなく、安価に作製することができ、しかも独立した収納ケースとして、あるいはカタログやパンフレット等と共に一体感を持たせてディスクを装着でき、ディスクを本に添付する場合であっても、重量増を抑え、かつディスクの挿入、抜き取りの際や保管、輸送中においても傷等から保護するディスク収納体を提供することにある。
【０００７】
【課題を解決するための手段】
本発明に於いて上記目的を達成するために、請求項１の発明では、
ディスクを載置する支持部と、該支持部の上下辺に突出させて面板を連設し、該面板は基板と折り部を介して揺動可能な翼部とで構成され、該基板と翼部の中央近傍を、上、下切り込み線により適宜な形状の切り欠き部を形成してなり、前記各基板を支持部上に貼着し、対向して配置された翼部の下側と前記支持部との間に円盤状のディスクを保持した状態で、該ディスクの端部が切り欠き部上に露出すると共に、前記翼部と基板との境界近傍の折り部端部にディスク周縁を係止し、前記保持されるディスクと支持部との間に、不織布が位置し、該不織布が、支持部の全面又は一部に貼着されていて、前記保持されるディスクが、少なくとも記録面側が不織布である袋に収納して収納体に装着されるディスク収納体において、前記翼部に設ける切り込み線が三角形状でなり、該上切り込み線の下側に三角形状に突出した載置片を形成し、前記切り込み線による折り部端面を形成し、前記不織布袋に収納したディスクを該不織布袋の相対する二方の角部を三角形状に形成された載置片に載置できるようにしたことを特徴とするディスク収納体である。
【０００８】
請求項２の発明では、
ディスクを載置する支持部と該支持部周辺の内側又は支持部の一部領域に、切り込み線により互いに対向して配置され、折り部によって揺動可能に二つの翼部を設け、該二つの翼部の内端部側には、前記支持部と連続する適宜な形状の載置片を形成してなり、前記支持部上に対向して配置された二つの翼部の下側と、前記載置片上との間に円盤状のディスクを保持した状態で、該ディスクの端部が載置片上に露出すると共に、前記翼部と載置片との境界近傍の折り部端部にディスク周縁を係止し、前記保持されるディスクと支持部との間に、不織布が位置し、該不織布が、支持部の全面又は一部に貼着されていて、前記保持されるディスクが、少なくとも記録面側が不織布である袋に収納して収納体に装着されるディスク収納体において、前記翼部に設ける切り込み線が三角形状でなり、該上切り込み線の下側に三角形状に突出した載置片を形成し、前記切り込み線による折り部端面を形成し、前記不織布袋に収納したディスクを該不織布袋の相対する二方の角部を三角形状に形成された載置片に載置できるようにしたことを特徴とするディスク収納体である。
【０００９】
請求項３の発明では、
ディスクを載置する支持部と、該支持部の上下辺に突出させて面板を連設し、該面板は基板と折り部を介して揺動可能な翼部とで構成され、該翼部の内端部側には切り込み線により適宜な形状で、前記基板と連続する載置片を形成してなり、前記各基板を支持部上に貼着し、対向して配置された翼部の下側と前記載置片との間に円盤状のディスクを保持した状態で、該ディスクの端部が載置片上に露出すると共に、前記翼部と載置片との境界近傍の折り部端部にディスク周縁を係止する収納体であって、前記翼部のいずれか一方の先端に、開封片を有する封止片を設け、前記保持されるディスクと支持部との間に、不織布が位置し、該不織布が、支持部の全面又は一部に貼着されていて、前記保持されるディスクが、少なくとも記録面側が不織布である袋に収納して収納体に装着されるディスク収納体において、前記翼部に設ける切り込み線が三角形状でなり、該上切り込み線の下側に三角形状に突出した載置片を形成し、前記切り込み線による折り部端面を形成し、前記不織布袋に収納したディスクを該不織布袋の相対する二方の角部を三角形状に形成された載置片に載置できるようにしたことを特徴とするディスク収納体である。
【００１４】
請求項２の発明では、請求項１に記載のディスク収納体において、
前記支持部のいずれか一方の側辺に、綴込片を設けたことを特徴とする。
【００１５】
請求項３の発明では、請求項１、２に記載のディスク収納体において、
前記支持部の両側辺又はいずれか一方の側辺に、１枚以上の表紙を設けたことを特徴とする。
【００１６】
本発明のディスク収納体は、ディスクを載置する支持部上に切り欠き或いは切り込み線により、二つの対向して配置された翼部を形成し、この翼部は折り部を介して揺動可能に設けたものであり、この二つの翼部の下側と前記支持部上との間に円盤状のディスクを保持するもので、前記翼部に設ける切り込み線が三角形状でなり、該上切り込み線の下側に三角形状に突出した載置片を形成し、前記切り込み線による折り部端面を形成し、前記不織布袋に収納したディスクを該不織布袋の相対する二方の角部を三角形状に形成された載置片に載置できるようにしたことによって、この不織布袋の相対する二方の角部が載置片上に露出し、不織布袋に収納したディスクの外周縁が袋毎、翼部と折り部の内側境界端部の折り部端面に係止され、強固に固定されるディスク収納体が得られる。
また、本発明のディスクを載置する支持部のいずれか一方の側辺、或いは両側辺に１枚以上の表紙を設けることでケース状の収納体になり、また、支持部のいずれか一方の側辺に綴込片を設けることにより、本に綴じ込む台紙状のディスク収納体が得られる。いずれも切り込みや切り欠きにより対向して配置された二つの翼部を形成することで、安価で、かつ容易にディスク収納体が得られる。
【００１７】
【発明の実施の形態】
本発明は、ケース状のディスク収納体、あるいは本に綴じ込む台紙状のディスク収納体であって、ディスクを載置する支持部と、支持部上に設けられた載置片（載置片を設けない場合もある）と、折り部によって揺動可能に対向して配置された二つの翼部とから構成され、この翼部の下側と支持部との間に円盤状のディスクを保持し、支持部上の翼部と載置片、或いは翼部と折り部との境界近傍の折り部内側の両端部（端面）にディスク周縁を係止固定する収納体であって、挿入されるディスクと支持部との間に、不織布が位置していることを特徴とするディスク収納体である。
【００１８】
本発明の実施例を図に基づき詳細に説明する。
図１は、第１参考例におけるケース型の内表紙、外表紙付きのディスク収納体の展開図であり、図２は、展開図に基づき組み立てた平面図であり、図３は、組み立てたディスク収納体にディスクを収納した状態を示す斜視図である。
第１参考例におけるディスク収納体１０は、ケース型の収納体を示すものであり、図１に示すように、支持部４の一方の側辺には側板１１を介して下板２と下板の上辺には折れ線ｄを介して上板２ａ連設し、支持部４の他方の側辺には、側板１２を介して外下板３と外下板上辺には折れ線ｄを介して外上板３ａを連設して、内及び外表紙を構成する台紙とした。
さらに中央部に位置する支持部４の上、下辺には、突出させて折れ線ｅ，ｅを介して面板８，８を連設し、この二枚の面板には、それぞれ基板１５，１５と折り部７，７を介して翼部５，５を連設したもので、このそれぞれの基板１５と翼部５との折り部７，７を境界として、翼部５，５に円弧状の上切り込み線１３と、基板１５，１５下切り込み線１６により切り欠き部１４，１４を形成したものである。
【００１９】
この切り欠き部１４の周縁は、部分拡大図に示すように、前記下切り込み線１６の先端は、折り部７を構成する下折線２２の内側端部までとして、一方の上切り込み線１３は、その先端を折り部７の下折線２２の内側端部まで延長することにより、折り部７，７の内側端面２３，２３と基板１５の切り欠き部１４の周縁に、後述するディスク２５の外周縁が当接、保持される。
【００２０】
さらに加えて、このディスク収納体１０の特徴は、ディスクを収納した際に、ディスクと支持部４との間に不織布２０が位置するようにしたもので、図１に示すように、第１参考例においては支持部４の全面に不織布２０を貼着ものである。
なお、この不織布２０は、支持部４全面に設けたもので、これに限定されるものではなく、例えば、図示はしないが、円盤状のディスク２５と同形状で、かつディスクと同じ大きさの不織布２０を貼着することでもよい。
【００２１】
このディスク収納体１０の組立ては、図２に示すように、上板２ａ、外上板３ａを内側に折り込みそれぞれ下板２と外下板３に貼着し、内表紙１７と外表紙１８を形成する。次いで、それぞれの面板８，８を内側に折り込みそれぞれの基板１５，１５を支持部４の不織布２０上に貼り付けることでディスクの収納部が形成される。この際、円弧状の翼部５，５は、互いに対向して配置されると共に、折り部７，７から揺動可能に設けることができる。
【００２２】
ディスク２５の収納体への装着は、図３に示すように、支持部４上に対向して配置された二つの翼部５，５を外方に折り曲げ開き、切り込み部１４を介して円盤状のディスク２５を挿入することで、このディスク２５の外周縁が基板１５側の下切り込み線１６，１６の周縁に当接する。そして翼部５，５の双方が近接するように折り曲げ閉じることで、ディスクは翼部５，５と折り部７，７との境界近傍の折り部７，７内側端面２３，２３に係止保持される。
【００２３】
また、支持部４とディスク２５との間に不織布２０が位置するので、ディスク２５は、押圧されても、挿入や取り出しの際も、情報が記録されている裏面の傷付きを防止することができる。
なお、ディスク収納体１０の内表紙１７や外表紙１８の表裏面や、、支持部４の裏面側に、適宜絵柄等の印刷を施すことも可能で、絵柄等を設けることでディスク収納体１０の意匠性が向上することは言うまでもない。
【００２４】
また、第１参考例においては、支持部４両側辺に内、外表紙１７，１８を設けたケース型収納体の構成を示したが、図示はしないが、支持部４のいずれか一方の側辺に綴込片を連設することにより、本に綴じ込む台紙状のディスク収納体が得られる。なお、この綴込片を設けた台紙状の収納体は、本の表紙裏面や本文頁の間に綴じ込むことでもよく、勿論貼着することも可能である。
【００２５】
図４は、第２参考例における片側表紙によるケース型のディスク収納体の展開図であり、図５は、ディスクを収納した後のディスク収納体の斜視図である。
図４に示すように、第２参考例におけるディスク収納体１００は、任意形状の支持部４と、支持部４のいずれか一方の側辺に折れ線ｄを介して背面板１９と、側板１２を介して外表紙１８を連設した一枚の台紙からなるケース型の収納体である。この台紙の支持部４面上に、外切り込み線２６，２６と円弧状の上切り込み線１３により円弧状の翼部５，５と、上切り込み線１３の外方側に載置片６，６を形成する。また、この翼部５，５の基端には、上折線２１と下折線２２による折り部７，７を形成したものである。さらに、上切り込み線１３の先端は折り部７，７の下折線２２，２２まで切り込んで、載置片６，６と折り部７，７との境界端部に折り部端面２３，２３を形成したものである。また、載置片６，６上には筋状の型押しにより円弧状の型押し部ｈ，ｈを設けて、ディスク２５を挿入収納する際に、載置部との接触面積を減少させたものであるが、特に限定するものではない。
【００２６】
第２参考例におけるディスク収納体１００の特徴は、切り込み線２６，２６と上切り込み線１３のみで、しかも支持部４の上下辺或いは側辺から突出させずに、支持部４面内上に対向して配置された二つの翼部５，５と、この外方側にディスクを載置する載置片６，６を形成したものである。
【００２７】
この片側表紙付きのディスク収納体１００は、図５に示すように、翼部５，５を開き円盤状のディスク２５を挿入し、載置片６，６上にディスク端部を載置させた後、再び翼部５，５を閉じることで載置片６，６と翼部５，５の内側端部の境界近傍の折り部端面２３，２３に、ディスク２５周縁を係止することで固定される。
【００２８】
ディスク２５を翼部５，５に装着すると、ディスク２５端部が載置片６，６上に載置されるので、ディスク２５の厚み分だけ上方に持ち上げられるようになるが、この折り部７，７が下折線２２と上折線２１により段差状に持ち上がり、折り部端面２３，２３でしっかりとディスク外周縁を挟持すると共に、翼部５，５でディスク２５を覆うように抑えることになる。さらに、図５に示すように、ディスク２５を固定した支持部４を内側に折畳み、ディスク裏面側が露出するようにした後、収納したディスク２５を軽く押圧するように外表紙１８を内側に折り曲げるディスク収納体１００の構成である。なお、翼部５，５間に位置する帯状の部材は設けても良いし、切断線ｆ，ｆにより除去しても良い。
【００２９】
なお、本発明のディスク収納体１００においても、載置片６，６上に不織布２０を設けることも可能であり、特に限定はされない。また、対向して配置された二つの翼部５，５の形状も、任意の形状とすることができる。
【００３０】
図６は、第３参考例における本に綴じ込む台紙状のディスク収納体の展開図である。第３実施例のディスク収納体２００は、図６に示すように、本の綴部に合わせて、矩形状の支持部４のいずれか一方の側辺に切離線ｍを介して綴込片３１を設けた台紙の一部領域に、第２参考例に述べたように、切り込み線２６，２６と円弧状の上切り込み線１３により円弧状の翼部５，５と、上切り込み線１３の外方側に載置片６，６を形成する。また、この翼部５，５の基端には、上折線２１と下折線２２による折り部７，７を形成したものである。さらに、上切り込み線１３の先端は折り部７，７の下折線２２，２２まで切り込んで、載置片６，６と折り部７，７との境界端部にディスク２５を係止する折り部端面２３，２３を形成したものである。また、第２参考例と同様に、載置片６，６上には筋状の型押しにより円弧状の型押し部ｈ，ｈを設けて、ディスク２５を挿入収納する際に載置部との接触面積を減少させたものであるが、特に限定するものではない。また、前述した切離線ｍは、限定されるものではなく、設けなくとも良い。
【００３１】
第３の参考例におけるディスク収納体２００の特徴は、切り込み線２６，２６と上切り込み線１３のみで、しかも支持部４の上下辺或いは側辺から突出させずに、支持部４面内上に対向して配置された二つの翼部５，５と、この外方側にディスクを載置する載置片６，６を形成したものである。
また、この本に綴じ込むディスク収納体２００は、切り込み線のみにより形成されたディスク２５を係止固定する折り部端面２３，２３や翼部５，５、載置片６，６が容易に得られると共に、本の表紙裏面や本文頁の間に綴込片３１を貼着するか、綴じ込むことで、両面から本文頁がディスク２５を保護する。さらに加えてこの収納体２００は、安価で、かつ容易に作製することができる。
【００３２】
図７は、第４参考例における本に綴じ込む台紙状のディスク収納体の展開図、図８は、この収納体を組立てデイスクを収納した状態を示す斜視図である。
図７に示すように、第４参考例におけるディスク収納体３００は、適宜な厚みの用紙からなる矩形状の支持部４のいずれか一方の側辺に切離線ｍを介して綴込片３１を設け、支持部４の上、下辺には、折れ線ｅ，ｅを介して面板８，８を突出させて連設し、この二枚の面板には、それぞれ基板１５，１５と折り部７，７を介して翼部５，５を連設し、このいずれか一方の翼部５の先端に、開封片３５を介して封止片３３を設けたもので、翼部５，５の型抜きと同時に形成したものである。さらに、円弧状の上切り込み線１３により翼部５，５を形成すると共に、上切り込み線１３の下側に載置片６，６を形成する。また、この翼部５，５の基端には、上折線２１と下折線２２による折り部７，７を形成したものである。
また、他の参考例で述べたように、前記上切り込み線１３の先端は折り部７，７の下折線２２，２２まで切り込んで、載置片６，６と翼部５，５基端との境界端部に折り部端面２
３，２３を形成したものである。また、載置片６，６上には筋状の型押しにより円弧状の型押し部ｈ，ｈを設けて、ディスク２５を挿入収納する際に、載置部との接触面積を減少させたものであるが、特に限定するものではない。
【００３３】
また、図に示すように、このディスク収納体３００においても、支持部４上、或いは載置片６，６上のいずれかに不織布２０設けることが好ましい。
【００３４】
この収納体３００の組立ては、それぞれの面板８，８を内側の支持部４上に折り込みそれぞれの基板１５，１５を支持部４の不織布２０上に貼り付けることで、ディスク２５の収納部が形成される。この際、円弧状に形成された翼部５，５は互いに対向して配置されると共に、折り部７，７から揺動可能に設けることができる。しかも一方の翼部５先端に形成した封止片３３が他方の翼部５先端の一部に重なるように組み立てられる。
【００３５】
ディスク２５の収納体への装着は、図８に示すように、支持部４上に対向して配置された二つの翼部５，５を外方に開き、円盤状のディスク２５を載置片６，６上に装着することで、このディスク２５の端部が載置片６，６上に露出し、かつディスク外周縁が翼部５，５と載置片６，６の内側境界端部の折り部端面２３，２３に係止、固定される。
この際、ディスク２５端部が載置片６，６上に載置されるので、載置片６，６上の不織布２０やディスク２５の厚み分だけ上方に持ち上げられるようになるが、この折り部７，７が下折線２２と上折線２１により段差状に持ち上がり、折り部端面２３，２３でしっかりとディスク外周縁を挟持すると共に、翼部５，５でディスク２５を覆うように抑えて、かつ一方の翼部５先端に設けた開封片３５を有する封止片３３を他方の翼部５の一部に重なるように貼着することにより、ディスク２５はしっかりと固定され、収納部から外れることがない。
【００３６】
また、本に綴じ込むか、貼着するこのディスク収納体３００は、切離線ｍから切り取ってもよく、また開封片３５を破いてディスク２５を取り出し、使用後またこの収納体に係止保管することも可能である。但し、切離線ｍは限定されるものではなく、特に設けなくとも良い。すなわち、この収納体は、本に綴じ込んだまま使用することも可能である。
【００３７】
図９は、本実施例における本に綴じ込む台紙状のディスク収納体の展開図であり、図１０は、収納体を組み立てた後、不織布袋にデイスクを収納し、この不織布袋をディスク収納体に納めた状態を示す斜視図である。
図９に示すように、本実施例におけるディスク収納体４００は、適宜な厚みの用紙からなる矩形状の支持部４のいずれか一方の側辺に切離線ｍを介して綴込片３１を設け、支持部４の上、下辺には、折れ線ｅ，ｅを介して面板８，８を突出させて連設し、この二枚の面板には、それぞれ基板１５，１５と折り部７，７を介して翼部５，５を連設し、このいずれか一方の翼部５の先端には、開封片３５を介して封止片３３を設けたもので、翼部５，５の型抜きと同時に形成したものである。さらに、直角三角形状の上切り込み線１３により翼部５，５を形成すると共に、上切り込み線１３の下側に三角形状に突出した載置片６，６を形成する。また、この翼部５，５の基端には、上折線２１と下折線２２による折り部７，７を形成したもので、この上切り込み線１３の先端は折り部７，７の下折線２２，２２まで切り込んで、載置片６，６と翼部５，５との境界近傍で、かつ折り部７，７の内側端部にディスク２５を係止する折り部端面２３，２３を形成したものである。
【００３８】
この収納体の組立ては、図１０（Ａ）に示すように、それぞれに突出させて形成した面板８，８を内側の支持部４上に折り込み、各々の基板１５，１５を支持部４上に貼り付けることで、ディスクの収納部が形成される。この際、翼部５，５は一方の先端に設けられた封止片３３により、先端の一部が重なるように配置されると共に、折り部７，７から揺動可能に設けたものである。
【００３９】
本実施例における収納体４００へのディスク２５の装着は、図１０（Ｂ）に示すように、裏面が不織布２０で表面が透明又は着色フィルム４１等の不織布袋２８に円盤状のディスク２５を収納した後、図１０（Ａ）に示すように、支持部４上に配置された二つの翼部５，５を折り部７，７を介して開き、不織布袋２８に収納したディスク２５を、この袋２８の相対する二方の角部を直角三角形状に形成された載置片６，６上に載置することで、この袋の相対する二方の角部が載置片６，６上に露出し、不織布袋に収納したディスク２５の外周縁が袋毎、翼部５，５と折り部７，７の内側境界端部の折り部端面２３，２３に係止、固定される。
【００４０】
この際、ディスク２５端部が袋毎載置片６，６上に載置されるので、ディスク２５の厚み分だけ上方に持ち上げられるようになるが、この折り部７，７が下折線２２と上折線２１により段差状に持ち上がり、折り部端面２３，２３でしっかりと袋毎ディスク外周縁を挟持すると共に、翼部５，５で不織布袋２８を覆うように抑えて、かつ一方の翼部５先端に設けた開封片３５を有する封止片３３を他方の翼部５の一部に重なるように貼着することにより、内袋２８に収納されたディスク２５はしっかりと固定され、収納部から外れることがない。
【００４１】
なお、ディスク２５を収納した不織布袋２８を、この収納体に装着した場合、露出する不織布袋２８は載置片６，６上に突出するようになるので、露出する不織布袋２８の角部形状に合わせて載置片６，６を切り取ることも可能である。すなわち、載置片６，６を略正方形状に切り取ることにより、露出する不織布袋２８の二方の角部が、切り取られた基板１５端面に当接し、しかも支持部４上に直接嵌め込まれるので、不織布袋２８はしっかりと装着される。
【００４２】
なお、図１に示す第１参考例の収納体１０、図４に示す第２参考例の収納体１００、図６に示す第３参考例の収納体２００、図７に示す第４参考例の収納体３００においても、仮想線ｋ（破線）に示すように、上切り込み線１３の形状を円弧状でなく直角三角形状とすることで、翼部５，５及び載置片６，６の形状を変化させることにより、本実施例で述べたように、不織布袋２８に収納したディスク２５も装着できる収納体が得られる。
また、載置片６，６を不織布袋２８の二方の角部形状に合わせて除去することも可能で、本実施例と同様に、不織布袋に収納されたディスクを袋毎嵌め込むようにしっかりと装
着することができる。
【００４３】
【発明の効果】
本発明のディスク収納体は、ディスクを載置する支持部上に切り欠き或いは切り込みにより、二つの対向して配置された翼部を形成し、この翼部は折り部を介して揺動可能に設けたもので、この二つの翼部を開きディスクを装着することで、切り込みによる翼部下方の載置片上で、かつ折り部内側両端の折り部端部（端面）に係止、固定される。さらに加えて、ディスクと支持部との間、或いは載置片上に不織布が位置することにより、ディスクの挿入、引き抜き、輸送、保管、展示時における際に、ディスクの記録面の傷付きを防止する。
【００４４】
また、本発明のディスクを載置する支持部のいずれか一方の側辺、或いは両側辺に１枚以上の表紙を設けることでケース状の収納体になり、また、支持部のいずれか一方の側辺に綴込片を設けることにより、本に綴じ込む台紙状のディスク収納体が得られ、本の本文頁で挟むようにディスクを保護するので、輸送などによるディスクの傷付きを防止する。
【００４５】
また、いずれも切り込みや切り欠きにより対向して配置される二つの翼部を形成することができるので安価で、かつ容易にディスク収納体が得られる。
【００４６】
また、本に綴じ込むか、貼着するこのディスク収納体は、切離線から外しても良く、また開封片を破いてディスクを取り出し、使用後またこの収納体に係止保管することも可能となる。
【図面の簡単な説明】
【図１】  本発明の第１参考例におけるケース型の内表紙、外表紙付きのディスク収納体の展開図である。
【図２】  上記、展開図に基づき組み立てた収納体の平面図である。
【図３】  組み立てたディスク収納体にディスクを装着した状態を示す斜視図である。
【図４】  本発明の第２参考例における片側表紙によるケース型のディスク収納体の展開図である。
【図５】  本発明の第２参考例における支持部にディスクを収納した後のディスク収納体の斜視図である。
【図６】  本発明の第３参考例における本に綴じ込む台紙状のディスク収納体の展開図である。
【図７】  本発明の第４参考例における本に綴じ込む台紙状のディスク収納体の展開図である。
【図８】  本発明の第４参考例における収納体を組立てデイスクを装着した状態を示す斜視図である。
【図９】  本発明の実施例における本に綴じ込む台紙状のディスク収納体の展開図である。
【図１０】  （Ａ）は、本発明の実施例における不織布袋にデイスクを収納し、この袋をディスク収納体に装着した状態を示す斜視図である。
（Ｂ）は、デイスクを収納した不織布袋の説明図である。
【符号の説明】
２  …下板
２ａ…上板
３  …外下板
３ａ…外上板
４  …支持部
５  …翼部
６  …載置片
７  …折り部
８  …面板
１０，１００，２００，３００，４００  …ディスク収納体
１１，１２  …側板
１３  …上切り込み線
１４  …切り欠き部
１５  …基板
１６  …下切り込み線
１７  …内表紙
１８  …外表紙
１９  …背面板
２０  …不織布
２１  …上折線
２２  …下折線
２３  …折り部端面（端部）
２５  …ディスク
２６  …外切り込み線
２８  …不織布袋
３１  …綴込片
３３  …封止片
３５  …開封片
ｄ，ｅ…折れ線
ｆ    …切断線
ｍ    …切離線
ｋ    …仮想線
【図１】
0003804137.tif 000002
【図２】
0003804137.tif 000003
【図３】
0003804137.tif 000004
【図４】
0003804137.tif 000005
【図５】
0003804137.tif 000006
【図６】
0003804137.tif 000007
【図７】
0003804137.tif 000008
【図８】
0003804137.tif 000009
【図９】
0003804137.tif 000010
【図１０】
0003804137.tif 000011